(57)【特許請求の範囲】
【請求項１】
秘密値を入力する操作手段と、内蔵スピーカと内蔵マイクを備えると共に、外部スピーカと外部マイクに伝達可能な携帯電話であって、
前記操作手段を介して予め秘密値が入力してあり、
連動スイッチは前記内蔵スピーカと内蔵マイク又は外部スピーカと外部マイクの何れかと伝達可能であり、
前記操作手段を介して入力する秘密値が、前記予め設定の秘密値と同じであるとき、前記連動スイッチを介して外部スピーカと外部マイクに伝達可能にすることを特徴とする携帯電話。
【請求項２】
連動スイッチは前記内蔵スピーカと外部スピーカの切替であることを特徴とする請求項１の携帯電話。
【請求項３】
携帯電話の本体に伸縮自在の伸縮体を取付け、その伸縮体の端部に外部スピーカを取り付けることを特徴とする請求項１の携帯電話。
【請求項４】
携帯電話の本体に、プラグを介して会話が可能な伸縮自在の伸縮体を取付け、
その伸縮体の端部に外部スピーカを取り付けることを特徴とする請求項１の携帯電話。
【発明の詳細な説明】
【０００１】
【発明の属する技術分野】
本発明は、携帯電話の電磁波防止策に関する。
【０００２】
【従来の技術】
従来の携帯電話の外観図を図１、ブロック図を図５に示す。携帯電話には、本体内に送信部と受信部、及び、内蔵スピーカ５と内蔵マイク６を備えていると共に、表示器１１や複数の操作釦１０等が付設してある。
そして、操作釦１０を押すことによって、ＲＡＭ付きＣＰＵはＲＯＭに記録の制御ソフトウエアを介して種々の操作が実行される。
又、携帯電話には、外部端子（ジャック）１５を備えていて、この外部端子１５にプラグ１６を挿入すると、内蔵スピーカ５と内蔵マイク６の使用が不可になり、ケーブル１４に接続の外部スピーカ１２と外部マイク１３を介して通話が可能になっている。
【０００３】
【発明が解決しようとする課題】
前記携帯電話は、前記したように、内部に発信器を備え、ＣＰＵを介して種々の制御を行っているため、本体や送信部（アンテナ等）に微弱ながら電磁波が生じ、この電磁波によって、健康障害が生ずるといわれている。
そこで、携帯電話には、本体に内蔵スピーカ５と内蔵マイク６の他に、外部端子を介して、外部スピーカ１２と外部マイク１３で会話が可能に構成してあり、電磁波による影響を阻止可能になっている。
【０００４】
そのため、電磁波の影響があることを承知している者は、本体の内蔵スピーカ５を耳に当てて会話を行うが、影響を逃れたい者は外部スピーカ１２と外部マイク１３を使用する。
一方、幼児は電磁波の影響を受け易いため、外部接続の外部スピーカ１２と外部マイク１３を介して会話をするように注意をしても、本体１を鞄やポケット等に収納状態で、外部端子を使用せず、本体の内蔵スピーカ５を耳に当てて聞くことが多いので、幼児は電磁波によって健康を害する可能性がある。
そこで、本発明は、かかる幼児が内蔵スピーカと内蔵マイクで会話ができないよう構成する携帯電話を提供する。
【０００５】
【課題を解決するための手段】
請求項１の携帯電話は、操作手段（例えば、操作釦）と内蔵マイクと内蔵スピーカを備えると共に、外部スピーカと外部マイクに伝達可能である。
又、連動スイッチを介して内蔵スピーカと内蔵マイク、又は、外部スピーカと外部マイクの何れかと伝達可能であると共に、予め、操作手段を介して秘密値を設定しておく。
そして、内蔵マイクと内蔵スピーカの使用を可能にする場合には、操作手段によって、予め設定の秘密値と一致する値を入力をすることが必要であり、かかる操作をしない限り、連動スイッチを介して、内蔵スピーカと内蔵マイクには伝達ができないので、幼児に対し、外部スピーカと外部マイクによる会話を強要させることができる。即ち、幼児に対しては、秘密値によって、本体等の電磁波を発生する箇所を、頭部に近づけなくて済むように、外部スピーカと外部マイクで会話を可能にする。
【０００６】
請求項２の携帯電話は、連動スイッチが内蔵スピーカと外部スピーカを切替える構成であり、会話をするときは内蔵マイクを使用し、スピーカだけが外部と内蔵を切替えるので、外部スピーカを使用することによって、本体を頭に近付けないで、会話をすることができ、電磁波の影響を減少させる。
又、請求項３の携帯電話は、本体に伸縮自在の伸縮体を取付け、その伸縮体の端部に外部スピーカを取り付けてあるので、この外部スピーカを使用することによって、本体と離れた位置で聞くことができ、電磁波の影響を減少することができる。
請求項４の携帯電話は、外部スピーカが本体と着脱自在の形式であり、秘密値を介して外部スピーカと外部マイクの使用を可能、又は、不可にするので、外部スピーカと外部マイクによる会話を強要させることができると共に、外部スピーカは伸縮体を介して容易に使用できる。
【０００７】
【発明の実施の形態】
（第１の実施の形態）
本発明の一実施の形態について図面を参照して説明する。図１は携帯電話の外観図であり、図２は制御ブロック図、図３は制御フロー図である。尚、従来と同じ構成には同じ符号を附す。
【０００８】
携帯電話は、よく知られたように、本体１内に送信部と受信部、及び、内蔵スピーカ５と内蔵マイク６を備えていると共に、表示器１１や複数の操作釦１０、アンテナ２０等が付設してある。尚、内蔵スピーカ５は本体の上部に、内蔵マイク６は本体の下部に位置し、本体の表面側或いは裏面側に設けてある。
そして、操作釦１０を押すことによって、ＲＡＭ付きＣＰＵはＲＯＭに記録の制御ソフトウエアを介して種々の操作が実行される。
【０００９】
例えば、操作釦１０を介して、電話番号を順次押すと、その番号はＣＰＵによって解読され、送信部を介して発信される。そして、電話局と繋がると、受信したデジタル信号はアナログ信号に変換されて、内蔵スピーカ５から音声として発し、内蔵マイク６で喋ったアナログ信号は、デジタル信号に変換されて発信部から送信されて相手方と通話が可能である。
【００１０】
又、この携帯電話には、従来と同様に、内蔵スピーカ５と内蔵マイク６を備えていると共に、外部端子（ジャック）１５にプラグ１６を装着すると、外部スピーカ１２と外部マイク１３にケーブル１４を介して接続されている。尚、この外部端子１５と内蔵スピーカ５と内蔵マイク６は、図２に示すように、連動スイッチ２０ａ、２０ｂを介して接続可能に構成してあるため、この接続状態で伝達可能になる。
そのため、受信部で受信の音声のデジタル信号は、前記ＣＰＵを介してアナログの音声信号に変換され、その音声出力は、連動スイッチ２０ｂを介して、内蔵スピーカ５か、外部端子１５の何れかに接続される。又、内蔵マイク６又は外部マイク１３の何れかからの音声信号は、連動スイッチ２０ａを介して、デジタル信号に変換する変換回路に入力し、変換されたデジタル信号は発信部から送信される。
【００１１】
次に、前記連動スイッチ２０ａ、２０ｂの制御について説明するが、この連動スイッチ２０ａ、２０ｂは、原則として外部端子１５に接続されている。従って、内蔵スピーカ５と内蔵マイク６を使用可能にするためには、「予め設定の秘密値（例えば、４３２１）」と合致する「入力値」を入力する必要がある。
そのため、幼児が持っているの携帯電話において、親が、前記予め設定の秘密値、例えば、「４３２１」を入力しておくと、幼児がこの秘密値を入力しない限り、内蔵スピーカ５と内蔵マイク６を使用できず、外部端子１５を介する外部マイク１３と外部スピーカ１２を使用して会話をすることになる。
【００１２】
次に、前記概念を可能とする携帯電話の操作釦による制御について、概念を示す制御フロー（図３）について説明する。尚、操作手段は、複数の操作釦１０を介して行う例を上げ、複数個の操作釦１０のうち、予め決められた操作釦を、下記する設定操作釦とする。
先ず、設定操作釦が、押されたか否かを判断し（Ｓ１０）、この設定操作釦が押されたときには、秘密値の個数を制限するためにカウンタｉの初期化を行う（Ｓ１１）。そして、連動スイッチに関する「入力データ」として、押された数字の操作釦１０を一時メモリに順次記憶する（Ｓ１２〜Ｓ１４）。例えば、ステップ１５において、カウンタｉが４より大きいと設定すると、秘密値は４個となり、順次、「４」、「３」、「２」、「１」の操作釦が押されると、一時メモリには、４個の数字「４３２１」が記憶される。
【００１３】
そして、予め設定の個数になると（Ｓ１５）、特別メモリの値が「０」であるか否かを判断し（Ｓ１６）、「０」であるときには、前記一時メモリの値を特別メモリに秘密値として記憶する（Ｓ１７）。この処理は、特別メモリの書替可能な条件であり、電源がなくなって、特別メモリが「０」となったとき以外には、書替ができないことを意味する。
【００１４】
一方、特別メモリの値が「０」でないときには、既に、特別メモリは秘密値が設定された状態であるので、前記入力された一時メモリの値と比較し（Ｓ１８）、一致したときには、連動スイッチを内蔵スピーカ５と内蔵マイク６側に接続して、内蔵スピーカ５と内蔵マイク６で伝達可能になる（Ｓ１９）。
即ち、予め設定された特別メモリに記憶の秘密値を入力すると、連動スイッチは切り替わって、内蔵スピーカ５と内蔵マイク６の使用が可能となる。
しかし、一致しないときには、そのままの接続、即ち、外部接続を維持するので、外部接続のスピーカ１２と外部マイク１３での会話が可能である（Ｓ２０）。
【００１５】
従って、前記予め設定の特別メモリに記憶の秘密値を入力しない限り、連動スイッチは切り替わらない。そのため、親が特別メモリに秘密値を設定しておくと、幼児はこの秘密値を知って入力しない限り、内蔵スピーカ５と内蔵マイク６を使用できない。そのため、幼児に対し、外部スピーカ１２と外部マイク１３による会話を強要させることができ、本体１等の電磁波を発生する箇所から頭を遠ざけた状態で通話が可能となり、電磁波の影響を減少させることができる。即ち、本体１を鞄やポケットに収納した状態で、外部スピーカ１２と外部マイク１３による会話を強要させることができるので、電磁波の影響を減少させる。
【００１６】
尚、秘密値等を入力する操作手段として、前記例では操作釦１０を介して行っているが、特別なスイッチや音声入力等であってもよいし、秘密値は前記の数字の他、例えば、図形や指紋等を採用し、予め登録の複数の図柄や指紋の何れかを秘密値として設定しておいて、その図柄や指紋を指定したとき、本体の内蔵スピーカと内蔵マイクの使用を可能にする等を含む。
又、前記の特別メモリの設定は、「０」にならない限り書き替えができない構成であるが、他の操作によって書き替え可能に構成してもよい。
【００１７】
又、本体の内蔵スピーカと内蔵マイクを使用可能にする条件は、前記の「秘密値」による制御の他に、例えば、所定時間以内の会話を認めたり、１日の所定回数に限定して使用を認める等の方式であってもよく、この制御フローは簡便に構成できるので省略する。
以上によって、本体１と有線による接続される外部スピーカと外部マイクは、秘密値を介して、会話が可能になったり不可能にすることができる。
【００１８】
（第２の実施の形態）
尚、本願の発明は、前記した様に、特に、幼児のために、本体１を耳に近付けることを禁止し、電磁波の影響を減少させるものであるため、前記外部端子１５にケーブル１４を介して接続する外部スピーカ１２と外部マイク１３の構成の他に、前記秘密値による制御をしなくても、使用時に、外部スピーカ１２を本体１から突出させる等、本体１と離れた状態で聞く構造であってもよい。
【００１９】
そこで、例えば、図４（Ａ）に示すように、携帯電話に付設のアンテナ２０に邪魔にならないように、本体１に、順次、細い円筒体を連結する伸縮自在の伸縮体（所謂、ロッドアンテナ式）２２を付設し、その先に、回動軸２５を介して回動可能な外部スピーカ１２が耳に当て易く取り付けてあり、この外部スピーカ１２は伸縮体２２内に施設の配線を介して、本体１の制御部と接続してある。
又、外部マイク１３は、本体１に収納状態である伸縮体２２を延ばして、外部スピーカ１２を耳に当てたとき、口元となる位置（本体の頂部付近）に設けてある。
尚、図４（Ｂ）は、図４（Ａ）と同じ構成であるが、伸縮体２２が片側の構成であり、機能等は同じである。
【００２０】
即ち、この図４（Ａ）（Ｂ）に示す構成の携帯電話は、未使用時には伸縮体２２を収納状態にし、使用時には伸縮体２２を延ばして、外部スピーカ１２を耳に当て、本体１に設けてある外部マイク１３を介して通話を行うので、本体１が頭付近にならない構成であるので、前記した「秘密値」での制御は不要である。
【００２１】
しかし、図４（Ａ）（Ｂ）に示すように、既存の内蔵スピーカ５と内蔵マイク６は本体１に内蔵の携帯電話に、外部スピーカ１２と外部マイク１３を新たに付設する場合場合には、幼児は、伸縮体２２を延ばさず、内蔵スピーカ５と内蔵マイク５を介して会話をすることになる。
そこで、この構成の携帯電話の場合には、前記と同様に、「秘密値」の制御を要する。即ち、「秘密値」を解除しない限り、内蔵スピーカ５と内蔵マイク６での会話を不可にし、外部スピーカ１２と外部マイク１３での会話のみを可能にする。従って、幼児は、伸縮体２２を延ばした状態で会話をすることになるので、本体１は耳の下に位置し、電磁波の影響を避けることができる。
【００２２】
又、例えば、図４（Ｃ）に示す携帯電話は、伸縮体２２に付設の爪４１を介して、本体１に着脱自在に構成すると、伸縮体２２を取り外して使用することが考えられ、本体の上部に内蔵スピーカ５を、本体の下部に内蔵マイク６を設けてある。
又、この伸縮体２２の頂部には外部スピーカ１２が設けてあり、外部マイク１３は、外部スピーカ１２を耳に当てたとき口元になる位置に付設してある。
そして、それらの外部スピーカ１２と外部マイク１３は、プラグ１６を介して本体の外部端子（ジャック）１５に挿入した状態で使用する。
【００２３】
このプラグ１６を介して外部スピーカ１２を使用する携帯電話は、前記図１に示す携帯電話と同様に、前記「秘密値」を解除しない限り、内蔵スピーカ５と内蔵マイク６の使用を不可とする。
そのため、幼児は伸縮体２２を伸ばして、外部スピーカ１２と外部マイク１３を使用するので、携帯電話の本体は耳から遠ざかった状態で会話をするので、電磁波の影響を回避できる。
【００２４】
又、図４（Ｄ）に示す携帯電話は、スライダー４０を用いて伸縮可能に構成するものであり、爪４１を介して本体１に着脱自在の構成は、前記ロッドアンテナ式の他、スライダー４０による構成であってもよい。尚、この図４（Ｄ）に示す携帯電話は、前記図４（Ｃ）に示す携帯電話と同様に、「秘密値」による制御が必要である。
また、前記外部マイク１３の取付け場所は、図４（Ｃ）（Ｄ）におけるプラグ１６に外部マイク１３Ａを設けてもよい。
【００２５】
以上のように、本体に内蔵スピーカ５と内蔵マイク６が無く、且つ、外部スピーカ１２が、図４（Ａ）（Ｂ）に示すように、本体１から延設しなければ使用できない構造の場合には、使用時には外部スピーカ１２を本体から離した状態で使用するので、原則として、前記した「秘密値」による制御をしなくても電磁波防止が可能であるが、外部スピーカ１２を本体から離さない状態でも通話可能となる場合には、「秘密値」による制御が必要である。
【００２６】
又、図４（Ｃ）（Ｄ）に示す携帯電話のように、外部スピーカ１２を任意に使用可能な場合には前記した「秘密値」による制御が必要である。
即ち、外部スピーカ１２と外部マイク１３を如何に構成するかによって、「秘密値」による制御が必要であるか否かを判断して構成すると共に、内蔵スピーカ５と内蔵マイク６の必要性についても同様のことがいえ、適宜選択して構成することはいうまでもない。
又、前記は外部スピーカと外部マイク、内蔵スピーカと内蔵マイクの双方を切替る必要がある携帯電話であり、連動スイッチを介して行う構成であるが、携帯電話の本体１を頭に近付けて会話を防止し、電磁波による影響を受けないものであるため、何れか片方の切替でよい携帯電話を含むものである。
【００２７】
（第３の実施の形態）
本実施の形態は、前記第１の実施の形態と同様の構成であるが、外部スピーカ１２と外部マイク１３はケーブル１４を介して、本体１に備えてある外部端子（ジャック）１５と有線で接続する構成に替えて、図６に示すように、各々送受信器８０、８１を介する無線方式で信号の授受（伝達）を行う構成である。
尚、本体１と外部スピーカ１２及び外部マイク１３は、近接した場所で使用するものであり、例えば、本体１は鞄やポケットに収納しておけばよいため、前記送受信器８０、８１は、通信基地局と送受信する本体１に備えてある送受信部に比べて、微弱な電波出力でよい。
【００２８】
この様に、強い電波を出力する本体１は、頭部から離れた鞄等に収納し、一方、本体１と外部スピーカ１２及び外部マイク１３に取り付ける送受信器８１、８０は微弱な電波を使用すればよいため、電磁波による影響が緩和された状態で会話が可能であると共に、ケーブル１４を介して接続するのに比べて、煩わしさがなくなる。
尚、前記送受信器８０は本体１に内蔵した構成であるが、別途、送受信器８０を設け、本体１を送受信器８０に装着することによって、送受信器８０の機能を可能に構成してもよい。又、送受信器８１についても同様に構成してもよい。
【００２９】
以上のように、本発明は、本体１と、有線又は無線によって、外部スピーカと外部マイクに対して、秘密値を介して会話を可能又は不可能にする構成であるので、前記構成に限定されないことは言うまでもない。
即ち、本願の発明は、電磁波を発生する本体１や送信部（アンテナ等）を頭に近付けなければ会話ができない構造の携帯電話や、電磁波を発生する本体１や送信部（アンテナ等）を操作しなければ、頭から遠ざけて会話ができない構造である携帯電話に対して、電磁波の影響を避けて安全を確保するために、「秘密値」による制御を行うものであり、秘密値による構成を如何にするかは、それら携帯電話の構造に対応して設けることはいうまでもない。
尚、前記内蔵スピーカ５、内蔵マイク６は、携帯電話の構造により、外部スピーカ１２、外部マイク１３と兼用に構成してもよい。
【００３０】
次に、前記秘密値の他の用途について説明する。この秘密値は、前記した様に、外部スピーカ１２と外部マイク１３での会話を可能又は不可能にする他に、携帯電話としての機能を可能、不可能にするものであり、不可能にする構成として、例えば、種々のデータを記録するメモリのリードライト等の機能を停止して、通話や記録データの読み出し等を不可能にする。
そのため、予め登録の秘密値を入力しないと、前記メモリの使用不可により携帯電話の使用は不可となるが、秘密値の入力によって、通話等が可能となる。尚、この秘密値は、前記外部スピーカ１２と外部マイク１３での会話を可能又は不可能にする秘密値と異なって、２機能を持たせるように構成してもよい。
以上の様に、秘密値を介して携帯電話の機能を可能、不可能に構成することによって、携帯電話を紛失したとき、他人の使用を回避できるし、登録された個人情報の引出しを防止できる。
【００３１】
【発明の効果】
請求項１の携帯電話は、操作手段で予め設定の秘密値と一致する値を入力をしない限り、連動スイッチを介して内蔵マイクと内蔵スピーカに接続されないので、幼児に対し、外部スピーカと外部マイクによる会話を強要させることができ、電磁波の影響を減少させることができる。
請求項２の携帯電話は、連動スイッチが内蔵スピーカと外部スピーカを切替える構成であり、会話をするときは内蔵マイクを使用し、スピーカだけが外部と内蔵を切替えるので、外部スピーカを使用することによって、本体を頭に近付けないで、会話をすることができ、電磁波の影響を減少させる。
又、請求項３の携帯電話は、本体に伸縮自在の伸縮体を取付け、その伸縮体の端部に外部スピーカを取り付けてあるので、この外部スピーカを使用することによって、本体と離れた位置で聞くことができ、電磁波の影響を減少することができる。
請求項４の携帯電話は、外部スピーカが本体と着脱自在の形式であり、秘密値を介して外部スピーカと外部マイクの使用を可能、又は、不可にするので、外部スピーカと外部マイクによる会話を強要させることができると共に、外部スピーカは伸縮体を介して容易に使用できる。
【図面の簡単な説明】
【図１】携帯電話の外観図である。
【図２】第１の実施の形態における制御ブロック図である。
【図３】制御フロー図である。
【図４】（Ａ）（Ｂ）（Ｃ）（Ｄ）は他の構成の携帯電話の外観図である。
【図５】従来の携帯電話の制御ブロック図である。
【図６】第３の実施の形態における制御ブロック図である。
【符号の説明】
５  内蔵スピーカ
６  内蔵マイク
１２  外部スピーカ
１３  外部マイク
１５  外部端子
２０ａ、２０ｂ  連動スイッチ
【図１】
0003851828.tif 000002
【図２】
0003851828.tif 000003
【図３】
0003851828.tif 000004
【図４】
0003851828.tif 000005
【図５】
0003851828.tif 000006
【図６】
0003851828.tif 000007